(57)【要約】【課題】変化に富んだ絵等を見ることができるアクセサリを提供する。【解決手段】アクセサリ１０は、透明な板材１１の一方の面１１１に描かれた、内部に部分的に非描画領域１３１１を有する第１描画部１３１と、板材１１の他方の面１１２の全面に貼付され、縁１４１が板材１１の縁１１１に溶着しているフィルム１４と、フィルム１１の、非描画領域１３１１に対向する位置に板材１１側から目視可能であるように描かれた、非描画領域１３１１よりも小さい第２描画部１３２を有する。アクセサリ１０を見る角度を変化させてゆくことにより、第２描画部１３２が第１描画部１３１の非描画領域１３１１内で動くように見える。また、フィルム１４の縁１４１が板材１１の縁１１１に溶着しているため、フィルム１４が板材１１から剥離し難く、見栄えが悪くなったり全面剥離することを避けることができる。【選択図】図１
0003218594.tif 000002
【実用新案登録請求の範囲】
【請求項１】
透明な板材の一方の面に描かれた、内部に部分的に非描画領域を有する第１の描画部と、
前記板材の他方の面の全面に貼付され、縁が該板材の縁に溶着しているフィルムと、
前記フィルムの前記非描画領域に対向する位置に前記板材側から目視可能であるように描かれた、前記非描画領域よりも小さい第２の描画部と
を備えることを特徴とするアクセサリ。
【請求項２】
透明な板材の一方の面の全面に貼付され、縁が該板材の縁に溶着しているフィルムと、
前記フィルムに描かれた、内部に部分的に非描画領域を有する第１の描画部と、
前記板材の他方の面の前記非描画領域に対向する位置に描かれた、前記非描画領域よりも小さい第２の描画部と
を備えることを特徴とするアクセサリ。
【請求項３】
前記第１の描画部が動物の絵であって、
前記非描画領域が該動物の眼に対応する位置に設けられており、
前記第２の描画部が該動物の虹彩の絵である
ことを特徴とする請求項１又は２に記載のアクセサリ。
【請求項４】
前記板材の厚みが前記非描画領域の幅の20％以上80％以下であることを特徴とする請求項１〜３のいずれかに記載のアクセサリ。
【考案の詳細な説明】
【技術分野】
【０００１】
本考案は、キーホルダーや携帯電話等に取り付ける携帯ストラップ等のアクセサリに関する。
【背景技術】
【０００２】
キーホルダーや携帯ストラップ等のアクセサリとして、絵や文字等を描いた、プラスチックや木材等から成る板材にリングや紐等を取り付けたものがある。例えば特許文献１には、透明な板状の表部材の表面と、透明又は非透明な板状の裏部材の表面にそれぞれ、印刷や貼り付け等の手段によって、絵、図形、文字、記号等（以下、これらをまとめて「絵等」とする）を描き、両者の板面を重ねるように組み立てた、キーホルダ等として用いられるアクセサリが記載されている。この構成によれば、表部材の表面側から、表部材に描かれた絵等と裏部材に描かれた絵等の双方を見ることができる。
【先行技術文献】
【特許文献】
【０００３】
【特許文献１】特開2008-142250号公報
【考案の概要】
【考案が解決しようとする課題】
【０００４】
特許文献１のアクセサリは、2つの絵等をそれぞれ見ることができるに過ぎず、変化に乏しい。本考案が解決しようとする課題は、変化に富んだ絵等を見ることができるアクセサリを提供することである。
【課題を解決するための手段】
【０００５】
上記課題を解決するために成された本考案に係るアクセサリの第１の態様は、
透明な板材の一方の面に描かれた、内部に部分的に非描画領域を有する第１の描画部と、
前記板材の他方の面の全面に貼付され、縁が該板材の縁に溶着しているフィルムと、
前記フィルムの前記非描画領域に対向する位置に前記板材側から目視可能であるように描かれた、前記非描画領域よりも小さい第２の描画部と
を備えることを特徴とする。
【０００６】
ここで、第２の描画部が「前記板材側から目視可能であるように描かれた」には、透明なフィルムの、板材側ではない方の面に第２の描画部が描かれている場合と、透明又は不透明なフィルムの板材側の面に第２の描画部が描かれている場合が含まれる。
【０００７】
本考案に係るアクセサリの第２の態様は、
透明な板材の一方の面の全面に貼付され、縁が該板材の縁に溶着しているフィルムと、
前記フィルムに描かれた、内部に部分的に非描画領域を有する第１の描画部と、
前記板材の他方の面の前記非描画領域に対向する位置に描かれた、前記非描画領域よりも小さい第２の描画部と
を備えることを特徴とする。
【０００８】
本考案において、第１及び第２の描画部に描画されているものは特に問わず、例えば絵、図形、文字、記号等を挙げることができる。
【０００９】
本考案に係るアクセサリでは、透明な板材の一方の面に非描画領域を有する第１の描画部を有し、他方の面の、前記非描画領域に対向する位置に第２の描画部を有することにより、そのアクセサリを見る者が前記一方の面の側の真正面から非描画領域を見ると、非描画領域中に第２の描画部が存在するように見える。第１の描画部の非描画領域と第２の描画部は透明な板材の厚み方向に離間しているため、見る者が前記一方の面からアクセサリを見る角度を変化させてゆくと、その者の眼から第２の描画部に至る視線が非描画領域を通過する位置が移動してゆく。このため、非描画領域に対する第２の描画部の相対的な位置が移動するように見える。このように、本考案によれば、アクセサリを見る角度を変化させてゆくことにより第２の描画部が第１の描画部の非描画領域内で動くように見えるという、変化に富んだアクセサリを得ることができる。
【００１０】
また、本考案に係るアクセサリでは、第２の描画部（第１の態様の場合）又は第１の描画部（第２の態様の場合）が描画されたフィルムの縁が該板材の縁に溶着しているため、フィルムが板材から剥離し難い。フィルムを接着剤で板材に貼り付けた場合、経年使用によりフィルムが板材の縁から剥離し始め、見栄えが悪くなったり全面剥離に結びつくが、本考案に係るアクセサリではそのような事態を避けることができ、長期間使用することができる。
【００１１】
フィルムの縁を板材の縁に溶着させる方法には、フィルムの縁にレーザを照射するという手法を用いることができる。
【００１２】
本考案に係るアクセサリにおいて、板材の両面にそれぞれフィルムが貼付されており、それらフィルムの一方に第１の描画部が描かれ、他方に第２の描画部が描かれているようにしてもよい。この場合も、両フィルムの縁は該板材の縁に溶着されているようにする。
【００１３】
本考案に係るアクセサリにおいて、前記第１の描画部は動物の絵であって、前記非描画領域が該動物の眼に対応する位置に設けられており、前記第２の描画部は該動物の虹彩（瞳）の絵である、という構成を取ることができる。ここで前記動物にはヒトを含む。もちろん、前記動物はネコやイヌ等、ヒト以外の動物であってもよい。
【００１４】
このような構成において、見る者が前記一方の面からアクセサリを見る角度を変化させてゆくと、動物の眼の中で虹彩（瞳）が動くように見える。
【００１５】
その他にも、本考案は鉢の中の金魚、天球の中の星、籠の中の鳥など、様々な組み合わせに応用することができる。
【００１６】
本考案に係るアクセサリにおいて、前記板材が薄すぎると、アクセサリを見る角度の変化に対する非描画領域内での第２の描画部の相対的な位置の変化が小さく、第２の描画部が移動することを認識し難くなる。そのため、前記板材の厚みは前記非描画領域の幅（径）の20％以上とすることが望ましい。
【００１７】
一方、前記非描画領域の幅（径）に対して板材が厚すぎると、第１の描画部と第２の描画部が前後方向に大きく離れてしまい、両者の関係が不自然に見えてしまうおそれがある。また、アクセサリを見る角度の僅かの変化に対しても非描画領域内での第２の描画部の動きが大きくなってしまい、すぐに非描画領域の外にはみ出して見えなくなってしまうという不自然さが生じる。そのため、前記板材の厚みは前記非描画領域の幅の80％以下とすることが望ましい。
【考案の効果】
【００１８】
本考案により、第２の描画部が動くように見えることで変化に富んだ絵等を見ることができ、作製が容易且つ長期間使用することのできるアクセサリを得ることができる。
【図面の簡単な説明】
【００１９】
【図１】本考案に係るアクセサリの一実施形態における第１面を正面から見た図(a)、第２面を正面から見た図(b)、第２面を背面から見た図(c)、並びに、本実施形態のアクセサリの縦断面図(d)及び斜視図(e)。なお、(d)では縦断面の構造を理解しやすくするために、寸法を無視して描いている。
【図２】本実施形態のアクセサリの全体を正面から見た図。
【図３】本実施形態のアクセサリにおいて、非描画領域及び第２描画部を真正面から見た状態(a)及び斜め左方から見た状態(b)を示す図。
【図４】本実施形態のアクセサリを製造する工程において、切断前板材に第１描画部を印刷した状態を示す図。
【図５】本実施形態のアクセサリを製造する工程において、切断前フィルムに第２描画部を印刷した状態(a)、白地部を重ね描きした状態(b)、及び後背部を重ね描きした状態(c)を示す図。
【図６】本実施形態のアクセサリを製造する工程において、切断前板材に切断前フィルムを貼付する操作を示す図。
【図７】本実施形態のアクセサリを製造する工程において、レーザビームによりアクセサリを打ち抜くと共にフィルムの縁を板材の縁に溶着させる操作を示す図。
【考案を実施するための形態】
【００２０】
図１〜図７を用いて、本考案に係るアクセサリの一実施形態を説明する。本実施形態のアクセサリ１０は、透明な板材１１の第１面（一方の面）１１１及び第２面（他方の面）１１２（図１(d)参照）にそれぞれ、以下のように絵を描いたものである。板材１１の材料には、本実施形態ではアクリル樹脂を用いる。
【００２１】
第１面１１１には、第１の絵が描かれている。以下、第１面１１１中の第１の絵が描かれている部分を「第１描画部１３１」（図１(a)）と呼ぶ。第１描画部１３１には、ヒトであるキャラクターの正面の全身が描かれている。但し、第１描画部１３１の内部に部分的に、非描画領域１３１１が2個設けられている。非描画領域１３１１は、第１描画部１３１に描かれたヒトの眼にそれぞれ対応する領域であって、当該領域には絵が描かれていない。そのため、アクセサリ１０を第１面１１１側（正面側）から見ると、非描画領域１３１１を通して第２面１１２が見える。非描画領域１３１１の幅（径）w（図１(a)参照）は、本実施形態では板材１１の厚みt（同(d)参照）の2倍（tはwの50％）とした。第１描画部１３１は、第１面１１１に直接描画されている。板材１１は、第１描画部１３１に描かれたヒトの外形線１３１２よりもやや外側で、該外形線に沿って切り抜かれている。
【００２２】
第２面１１２には、その全面に透明なフィルム１４が貼付されている。フィルム１４は、その縁１４１が板材１１の縁１１１に溶着しており（図１(d)参照）、縁１４１よりも内側では接着剤で板材１１に接着されている。本実施形態では、フィルム１４にはパナック株式会社製のゲルポリ（登録商標）を用いた。
【００２３】
フィルム１４の板材１１側ではない方の面（第１面１１１側から見た正面側）には、板材１１側から順に、第２描画部１３２、白地部１３３、後背部１３４が、重ね描きで描かれている（図１(d)）。第２描画部１３２はヒトの虹彩（瞳）の絵から成り、第１面１１１中の非描画領域１３１１に対向する位置に描かれている（図１(b), (d)）。第２描画部１３２では、虹彩の位置以外には絵が描かれていない。なお、図１(b)中には非描画領域１３１１に対向する領域を破線で示した。白地部１３３は、第１面１１１を真正面から見たときに第１描画部１３１と重なる領域の全体を白色で塗りつぶしたものである（図１(d)）。第２描画部１３２（虹彩）の周囲も白地部１３３として塗りつぶされている。白地部１３３は、第１面１１１側から後背部１３４が見えないようにすることを目的としていると共に、非描画領域１３１１に対応する領域では白眼を表している。後背部１３４は、ヒトの後ろ姿が白地部１３３の全体に重なるように描かれたものである（図１(c), (d)）。なお、白地部１３３は、第２描画部１３２に対向するように描かれ、且つそれに重なるように後背部１３４が描かれているため、非描画領域１３１１を通して見える領域を除いて、外部からは見えない。
【００２４】
本実施形態のアクセサリ１０では、上記のように透明な板材１１の第１面１１１に、非描画領域１３１１を有する第１描画部１３１が描かれており、板材１１の第２面１１２の、非描画領域１３１１に対向する位置に第２描画部１３２が描かれていることにより、第１面１１１側の真正面から非描画領域１３１１を見ると、非描画領域１３１１中に第２描画部１３２が存在するように見える（図２）。非描画領域１３１１と第２描画部１３２は板材１１の厚み方向に離間しているため、看者がアクセサリ１０を見る角度を変化させてゆくと、看者の眼から第２描画部１３２に至る視線が非描画領域１３１１を通過する位置が移動してゆく。例えば、図３(b)に示すように斜め左方から非描画領域１３１１及び第２描画部１３２を見ると、看者の眼から第２描画部１３２に至る視線が非描画領域１３１１を通過する位置１５Ｂは、第１面１１１側の真正面から見た場合の位置１５Ａ（図３(a)）よりも左側になる。このようにアクセサリ１０を見る角度を変化させることにより、非描画領域１３１１に対する第２描画部１３２の相対的な位置が移動するように見える。本実施形態では非描画領域１３１１がヒトの眼の全体であって、第２描画部１３２がヒトの虹彩（瞳）であることから、アクセサリ１０を見る角度を変化させてゆくと、ヒトの眼の中で虹彩が移動してゆくように見える。このように、本実施形態のアクセサリ１０によれば、変化に富んだ絵等を見ることができる。
【００２５】
また、本実施形態のアクセサリ１０では、フィルム１４の縁１４１が板材１１の縁１１１に溶着しているため、フィルム１４が板材１１から剥離し難い。そのため、本実施形態のアクセサリ１０によれば、見栄えが悪くなったりフィルム１４が全面剥離することを避けることができ、長期間使用することができる。
【００２６】
次に、図４〜図７を用いて、本実施形態のアクセサリ１０を製造する方法の一例を説明する。この方法では、1枚のアクリル樹脂製の板材から複数個のアクセサリ１０を作製する。以下ではこの板材を、得られるアクセサリ１０の板材１１と区別するために、「切断前板材２１」と呼ぶ。
【００２７】
まず、図４に示すように、非描画領域１３１１を有する第１描画部１３１の画像を複数個（同図では8個示したが、この個数には限定されない）、切断前板材２１の一方の面２１１に印刷する。切断前板材２１への印刷には、フラットベット型ＵＶインクジェットプリンタを好適に用いることができる。ここで「ＵＶインクジェットプリンタ」は、紫外線が照射されることで硬化するインクを用い、印刷面（ここでは切断前板材２１の一方の面）にインクジェット方式で該インクを噴射すると共に紫外線を照射することにより、印刷面にインクを定着させるものである。「フラットベット型」は、印刷対象物（ここでは切断前板材２１）を平坦な台（フラットベット）に載置した状態で印刷を行うものである。なお、この印刷の際に、併せて、切断前板材２１の一方の面２１１のうち第１描画部１３１の画像が無い位置に、位置合わせ用のマーク２３１を少なくとも2個印刷する。
【００２８】
次に、透明であって切断前板材２１の面と同じ形状を有するフィルムである切断前フィルム２４の一方の面に、第２描画部１３２（図５(a)）、白地部１３３（同(b)）及び後背部１３４（同(c)）をこの順に重ね書きで印刷してゆく。第２描画部１３２を印刷する際には併せて、前述のマーク２３１に対応する位置にマーク２３２を印刷する。第２描画部１３２は、マーク２３１とマーク２３２を重ねたときに非描画領域１３１１内となる位置に印刷する。白地部１３３及び後背部１３４は、マーク２３１とマーク２３２を重ねたときに第１描画部１３１と重なる位置に印刷する。これら切断前フィルム２４への印刷には、ロール型ＵＶインクジェットプリンタを好適に用いることができる。ここで「ロール型」とは、可撓性を有する印刷対象物（ここではシート２２）を巻き取ったロールから送出して印刷を行うものである。
【００２９】
切断前フィルム２４の他方の面（印刷がなされない面）には接着剤が付着している。切断前フィルム２４に印刷を行う時点では、該他方の面に保護フィルム（図示せず）が貼付されており、接着剤がロール型ＵＶインクジェットプリンタ等に付着することはない。
【００３０】
次に、切断前フィルム２４の保護フィルムを剥がしたうえで、図６に示すように、切断前板材２１の他方の面（前記一方の面２１１の反対側の面）２１２に、マーク２３１とマーク２３２の位置を合わせるようにして、切断前フィルム２４を貼付する。
【００３１】
その後、図７に示すように、切断前板材２１の一方の面２１１側から、アクセサリ１０における板材１１の縁１１１となるところにレーザビームＬＢを移動させながら照射することで切断前板材２１及び切断前フィルム２４を切断し、個々のアクセサリ１０を打ち抜く。その際、切断前フィルム２４のうちレーザビームＬＢが照射された部分が溶融し、切断後の板材１１の縁１１１に溶着する。以上の操作により、本実施形態のアクセサリ１０が得られる。
【００３２】
本考案に係るアクセサリは、上記実施形態には限定されない。例えば、上記実施形態では第１描画部１３１を板材１１に直接描画し、第２描画部１３２等を透明なフィルム１４に描画したうえで板材１１に貼付してその縁１４１を板材１１の縁に溶着させた（上記第１の態様）が、第１描画部を透明なフィルムに描画したうえで板材に貼付してその縁を板材の縁に溶着させてもよい（上記第２の態様）。この場合、第２描画部１３２等は、板材１１に直接描画してもよいし、上記実施形態と同様に透明なフィルムに描画したうえで板材に貼付してその縁を板材の縁に溶着させてもよい。
【００３３】
上記実施形態ではフィルム１４の板材１１側ではない方の面に第２描画部１３２等を描画したが、フィルムの板材側の面に第２描画部等を描画してもよい。この場合、フィルムは透明であってもよいし、不透明であってもよい。フィルムが透明である場合には、第２描画部をフィルムの板材側の面に描画し、後背部を反対側の面に描画してもよい。この場合、白地部はどちらの面に描画してもよい。なお、接着剤の上に描画することは困難であるため、フィルムの板材側の面に第２描画部等を描画する場合には、描画後に接着剤を塗布するとよい。
【００３４】
白地部及び後背部を描画することは、本考案では必須ではなく、それらのいずれか一方又は両方を省略することもできる。
【００３５】
上記実施形態では第１描画部等としてヒトのキャラクターの絵を描いたが、ネコやイヌ等のヒト以外の動物の絵を描いてもよい。また、上記実施形態では非描画領域をヒト（動物）の眼とし、第２描画部として虹彩（瞳）の絵を描いたが、例えば非描画領域をヒト（動物）の口とし、第２描画部として舌の絵を描く等、他の非描画領域と第２描画部の組み合わせを用いてもよい。さらには、本考案に係るアクセサリは、動物以外の種々の物の絵を用いて作製することができる。
【符号の説明】
【００３６】
１０…アクセサリ
１１…板材
１１１…板材の第１面
１１２…板材の第２面
１３１…第１描画部
１３１１…非描画領域
１３１２…第１描画部の外形線
１３２…第２描画部
１３３…白地部
１３４…後背部
１４…フィルム
１４１…フィルムの縁
１５Ａ、１５Ｂ…看者の眼から第２描画部に至る視線が非描画領域を通過する位置
２１…切断前板材
２１１…切断前板材の一方の面
２１２…切断前板材の他方の面
２２…シート
２２１…シートの一方の面
２２２…シートの他方の面
２４…切断前フィルム
ＬＢ…レーザビーム
【図１】
0003218594.tif 000003
【図２】
0003218594.tif 000004
【図３】
0003218594.tif 000005
【図４】
0003218594.tif 000006
【図５】
0003218594.tif 000007
【図６】
0003218594.tif 000008
【図７】
0003218594.tif 000009